(57)【要約】      （修正有）【課題】接続作業が容易な電気部品の取付構造を提供する。【解決手段】コネクタ用アダプタ７を回路基板１の一方の面１ａ上に第２のコネクタ５と共に配置して、電気部品３に設けた第１のコネクタ９を第２のコネクタ５に接続する。コネクタ用アダプタ７は、ガイドピン１５がガイドピン嵌合孔２３ａに挿入された状態で、複数の第１の接触端子１３が複数の第２の接触端子１９に接触する位置関係を、第１のコネクタと第２のコネクタ５との間に形成するように、回路基板１の一方の面１ａ上に配置されている。【選択図】図１
2011253621.tif 000002
【特許請求の範囲】
【請求項１】
第１のハウジングに複数の第１の接触端子を備えた第１のコネクタと、第２のハウジングに前記複数の第１の接触端子とそれぞれ嵌合接続される複数の第２の接触端子を備えた第２のコネクタとを備え、前記第１のハウジングに１以上のガイドピンが設けられているコネクタ装置を用いて電気部品を回路基板の一方の面上に実装する電気部品の取付構造であって、
前記第２のコネクタの前記第２のハウジングが前記回路基板の前記一方の面上に配置され、
前記１以上のガイドピンが嵌合される１以上のガイドピン嵌合孔を備えたコネクタ用アダプタが、前記１以上のガイドピンが前記１以上のガイドピン嵌合孔に挿入された状態で、前記複数の第１の接触端子と前記複数の第２の接触端子とが接触する位置関係を前記第１のコネクタと前記第２のコネクタとの間に形成するように、前記回路基板の前記一方の面上に配置されていることを特徴とする電気部品の取付構造。
【請求項２】
前記１以上のガイドピン嵌合孔は貫通孔であり、
前記回路基板に前記ガイドピン嵌合孔と連通する１以上の延長用貫通孔が形成されている請求項１に記載の電気部品の取付構造。
【請求項３】
前記１以上のガイドピンは２本あり、
前記コネクタ用アダプタは、前記第２のハウジングが嵌合するハウジング嵌合孔を有するアダプタ本体と、前記アダプタ本体と一体に設けられて前記回路基板に設けた複数の被係止部に係止される複数の係止部とを備え、
前記アダプタ本体の対向する一対の端部に２つの前記ガイドピン嵌合孔がそれぞれ形成されている請求項１または２に記載の電気部品の取付構造。
【請求項４】
前記複数の被係止部は、前記回路基板に形成された複数の貫通孔からなり、
前記複数の係止部は、それぞれ前記貫通孔を貫通する延伸部と、前記貫通孔から突出して前記回路基板の他方の面に係止されるフック部とを備えている請求項３に記載の電気部品の取付構造。
【請求項５】
前記アダプタ本体及び前記回路基板の一方に前記コネクタ用アダプタの前記回路基板に対する位置決めを図る位置決めピンが設けられており、
前記アダプタ本体及び前記回路基板の他方に前記位置決めピンが嵌合される位置決めピン嵌合孔が設けられていることを特徴とする請求項３に記載の電子部品の取付構造。
【請求項６】
前記コネクタ用アダプタは、前記第２のハウジングの対向する一対の端部に隣接して配置される２つの分離アダプタから構成され、
前記分離アダプタは、前記ガイドピン嵌合孔を備えた分離アダプタ本体と、前記分離アダプタ本体と一体に設けられて前記回路基板に設けた被係止部に係止される複数の係止部とを備えている請求項１または２に記載の電気部品の取付構造。
【請求項７】
前記被係止部は貫通孔からなり、
前記複数の係止部は、前記ガイドピン嵌合孔の周囲を囲み且つ１つの前記貫通孔に嵌合される延伸部と、前記貫通孔から突出して前記回路基板の他方の面に係止されるフック部とをそれぞれ備えている請求項６に記載の電気部品の取付構造。
【請求項８】
前記コネクタ用アダプタは、前記第２のハウジングの対向する一対の端部と一体に設けられた２つの分離アダプタから構成され、前記２つの分離アダプタに前記ガイドピン嵌合孔が形成されている請求項１または２に記載の電気部品の取付構造。
【請求項９】
第１のハウジングに複数の第１の接触端子を備えた第１のコネクタと、回路基板の一方の面に配置される第２のハウジングに前記複数の第１の接触端子とそれぞれ嵌合接続される複数の第２の接触端子を備えた第２のコネクタとを備え、前記第１のハウジングに１以上のガイドピンが設けられているコネクタ装置を用いて電気部品を前記回路基板の一方の面上に実装するためのコネクタ用アダプタであって、
前記コネクタ用アダプタは、前記第２のハウジングが嵌合するハウジング嵌合孔を有するアダプタ本体と、前記アダプタ本体に設けられて前記１以上のガイドピンが嵌合される１以上のガイドピン嵌合孔と、前記アダプタ本体と一体に設けられて前記回路基板に設けた複数の被係止部に係止される複数の係止部とを備えていることを特徴とするコネクタ用アダプタ。
【請求項１０】
前記１以上のガイドピンは２本あり、
前記アダプタ本体の対向する一対の端部に前記ガイドピン嵌合孔がそれぞれ形成されている請求項９に記載のコネクタ用アダプタ。
【請求項１１】
前記複数の被係止部は、前記回路基板に形成された複数の貫通孔からなり、
前記複数の係止部は、それぞれ前記貫通孔を貫通する延伸部と、前記貫通孔から突出して前記回路基板の他方の面に係止されるフック部とを備えている請求項９に記載のコネクタ用アダプタ。
【請求項１２】
前記アダプタ本体は、平面から見た輪郭が矩形状を呈しており、
前記複数の係止部は、一対の第１の係止部と一対の第２の係止部とを含んでおり、
前記一対の第１の係止部の前記延伸部と前記一対の第２の係止部の前記延伸部とは長さが異なり、
前記一対の第１の係止部を通る第１の仮想線と前記一対の第２の係止部を通る第２の仮想線が交差するように、前記一対の第１の係止部と前記一対の第２の係止部の位置が定められている請求項１１に記載のコネクタ用アダプタ。
【請求項１３】
前記アダプタ本体には、前記コネクタ用アダプタの前記回路基板に対する位置決めを図る位置決めピンまたは位置決めピン嵌合孔が設けられていることを特徴とする請求項９〜１２のいずれか１つに記載のコネクタ用アダプタ。
【請求項１４】
第１のハウジングに複数の第１の接触端子を備えた第１のコネクタと、回路基板の一方の面上に配置される第２のハウジングに前記複数の第１の接触端子とそれぞれ嵌合接続される複数の第２の接触端子を備えた第２のコネクタとを備え、前記第１のハウジングに１以上のガイドピンが設けられているコネクタ装置を用いて電気部品を前記回路基板の一方の面上に実装するためのコネクタ用アダプタであって、
前記コネクタ用アダプタは、前記第２のハウジングに隣接して配置される２以上の分離アダプタから構成され、
前記分離アダプタは、ガイドピン嵌合孔を備えた分離アダプタ本体と、前記分離アダプタ本体と一体に設けられて前記回路基板に設けられた被係止部に係止される複数の係止部とを備えているコネクタ用アダプタ。
【請求項１５】
前記被係止部は貫通孔からなり、
前記複数の係止部は、前記ガイドピン嵌合孔の周囲を囲み且つ１つの前記貫通孔に嵌合される複数の延伸部と該複数の延伸部と、前記貫通孔から突出して前記回路基板の他方の面に係止されるフック部とを備えている請求項１４に記載のコネクタ用アダプタ。
【請求項１６】
前記フック部には、厚みが異なる２種類の前記回路基板にそれぞれ設けられた前記貫通孔に嵌合されて、前記他方の面に係止可能な２つのステップが形成されている請求項１５に記載のコネクタ用アダプタ。
【発明の詳細な説明】
【技術分野】
【０００１】
本発明は、電気部品の取付構造及びコネクタ用アダプタに関するものである。
【背景技術】
【０００２】
特開平１１−１６８１６８号公報等には、ハウジングに複数の接触端子と２本のガイドピンとを備えたコネクタを有する電気部品が示されている。このコネクタは２本のガイドピンが樹脂ブロックに形成した２つのピン孔に圧入された状態で使用される。そしてこのコネクタには、複数の接触端子を備えた別のコネクタが接続される。従来は、ガイドピンをコネクタのハウジングの位置決め手段として利用している。
【先行技術文献】
【特許文献】
【０００３】
【特許文献１】特開平１１−１６８１６８号公報
【発明の概要】
【発明が解決しようとする課題】
【０００４】
それぞれ複数の接触端子を備えた二つのコネクタから構成されるコネクタ装置を用いて電気部品を回路基板に実装する場合には、雄型の接触端子と雌型の接触端子との位置関係が正しい状態になるようにして、二つのコネクタを合わせる作業をする必要がある。接触端子の数が多くなるほど、この作業は面倒なものとなる。
【０００５】
本発明の目的は、コネクタ装置の接続作業を容易にすることができる電気部品の取付構造及びコネクタ用アダプタを提供することにある。
【課題を解決するための手段】
【０００６】
本発明が改良の対象とする電気部品の取付構造は、第１のハウジングに複数の第１の接触端子を備えた第１のコネクタと、第２のハウジングに複数の第１の接触端子とそれぞれ嵌合接続される複数の第２の接触端子を備えた第２のコネクタとを備え、第１のハウジングに１以上のガイドピンが設けられているコネクタ装置を用いて電気部品を回路基板の一方の面上に実装する。本発明では、第２のコネクタの第２のハウジングを回路基板の一方の面上に配置する。そして１以上のガイドピンが嵌合される１以上のガイドピン嵌合孔を備えたコネクタ用アダプタを、１以上のガイドピンが１以上のガイドピン嵌合孔に挿入された状態で、複数の第１の接触端子が複数の第２の接触端子に接触する位置関係を第１のコネクタと第２のコネクタとの間に形成するように、回路基板の一方の面上に配置する。
【０００７】
このようなコネクタ用アダプタを第２のコネクタと共に回路基板の一方の面上に配置すれば、第１のコネクタを第２のコネクタに接続する際に、１以上のガイドピンが１以上のガイドピン嵌合孔に挿入される過程で、複数の第１の接触端子が第２の接触端子に対して適正に嵌合接続される。したがって、本発明によれば、コネクタ装置の接続作業が容易になる。
【０００８】
使用する第１のコネクタに設けられているガイドピンの長さが、ガイドピン嵌合孔の長さよりも長い場合もある。このような場合には、１以上のガイドピン嵌合孔が貫通孔であれば、回路基板にガイドピン嵌合孔と連通する１以上の延長用貫通孔が形成すればよい。このようにすれば、１以上のガイドピンが１以上のガイドピン嵌合孔を通過した後、１以上の延長用貫通孔内に嵌合される。そのため、ガイドピンの長さが長い場合にも、本発明を適用することができる。
【０００９】
ガイドピンが１本の場合でも、ガイドピンの横断面形状が角形である、ガイドピン嵌合孔の横断面形状を角形であれば、位置決めをすることができる。
【００１０】
第１及び第２のコネクタとして既製品を使用する場合には、コネクタ用アダプタは、第２のコネクタとは別に構成される。既存のコネクタでは、２本のガイドピンが複数の接触端子が並ぶ列の両側にそれぞれ配置されるものが多い。そこでコネクタ用アダプタを、第２のハウジングが嵌合するハウジング嵌合孔を有するアダプタ本体と、アダプタ本体と一体に設けられて回路基板に設けた複数の被係止部に係止される複数の係止部とを備えた構成とするのが好ましい。そして、アダプタ本体の対向する一対の端部に２つのガイドピン嵌合孔をそれぞれ形成する。このようにすれば、コネクタ用アダプタを回路基板の一方の面上に既製品の第２のコネクタと共に配置する際に、第２のコネクタとコネクタ用アダプタとの位置関係が確定する。そして２つのガイドピン嵌合孔は、アダプタ本体の対向する一対の端部に形成されるため、既存のガイドピン付きのコネクタに対応することができる。そしてコネクタ用アダプタに設けた複数の係止部を回路基板に設けた複数の被係止部に係止することにより、コネクタ用アダプタを簡単に回路基板に取り付けることができる。
【００１１】
複数の被係止部は、回路基板に形成された複数の貫通孔から構成し、複数の係止部は、それぞれ貫通孔を貫通する延伸部と、貫通孔から突出して回路基板の他方の面に係止されるフック部とを備えた構造とすることができる。このようにすれば、複数の係止部を回路基板に設けた複数の被係止部（貫通孔）に挿入するだけで、コネクタ用アダプタを簡単に回路基板に取り付けることができる。
【００１２】
アダプタ本体及び回路基板の一方にコネクタ用アダプタの回路基板に対する位置決めを図る位置決めピンを設け、アダプタ本体及び回路基板の他方に位置決めピンが嵌合される位置決めピン嵌合孔を設けるのが好ましい。このようにすれば、コネクタ用アダプタの回路基板に対する位置を正確に定めることができる。
【００１３】
既存のコネクタに対して適用するコネクタ用アダプタは、第２のハウジングの対向する一対の端部に隣接して配置される２つの分離アダプタから構成することができる。この場合、分離アダプタは、ガイドピン嵌合孔を備えた分離アダプタ本体と、分離アダプタ本体と一体に設けられて回路基板に設けた被係止部に係止される複数の係止部とを備えているように構成することができる。このような分離アダプタを用いれば、形状及び寸法が異なる種々のタイプの第１及び第２のコネクタに対して使用することができる。また、コネクタ用アダプタの占有領域をより小さくできる。
【００１４】
分離アダプタに対して設ける被係止部は貫通孔から構成し、複数の係止部は、ガイドピン嵌合孔の周囲を囲み且つ１つの貫通孔に嵌合される複数の延伸部と、貫通孔から突出して回路基板の他方の面に係止されるフック部とを備えているように構成できる。この場合も、複数の係止部を回路基板に設けた１つの係止部（貫通孔）に挿入するだけで、コネクタ用アダプタを簡単に回路基板に取り付けることができる。
【００１５】
第２のコネクタを専用品として製造する場合には、コネクタ用アダプタは、第２のハウジングの対向する一対の端部と一体に設けられた２つの分離アダプタから構成し、２つの分離アダプタにガイドピン嵌合孔を形成するようにしてもよい。このようにすれば、コネクタ用アダプタと第２のコネクタとが一体化し、電気部品の取付構造の部品点数を少なくできる。
【００１６】
電気部品の取付構造で用いるコネクタ用アダプタのアダプタ本体は、平面から見た輪郭が矩形状を呈するように構成できる。そして、複数の係止部は、一対の第１の係止部と一対の第２の係止部とを含んでおり、一対の第１の係止部の延伸部と一対の第２の係止部の延伸部とは長さが異なるように構成する。一対の第１の係止部を通る第１の仮想線と一対の第２の係止部を通る第２の仮想線が交差するように、一対の第１の係止部と一対の第２の係止部の位置を定める。このようにすれば、コネクタ用アダプタを厚みが異なる２種類の回路基板に取り付けることができる。厚みの薄い回路基板には、延伸部の長さが短い一対の係止部を係止させ、厚みの厚い回路基板には、延伸部の長さが長い一対の係止部を係止させる。
【００１７】
コネクタ用アダプタを２以上の分離アダプタから構成する場合は、フック部に、厚みが異なる２種類の回路基板にそれぞれ設けられた貫通孔に嵌合されて、他方の面に係止可能な２つのステップを形成することができる。このようにすれば、分離アダプタを厚みが異なる２種類の回路基板に取り付けることができる。
【図面の簡単な説明】
【００１８】
【図１】本発明の実施の形態の電気部品の取付構造を分解状態で示す斜視図である。
【図２】図１に示す電気部品の取付構造の側面図である。
【図３】図１に示す電気部品の取付構造に用いる電気部品を底面側から見た斜視図である。
【図４】図１に示す電気部品の取付構造に用いるコネクタ用アダプタを平面側から見た斜視図である。
【図５】図４に示すコネクタ用アダプタを底面側から見た斜視図である。
【図６】（Ａ）及び（Ｂ）は、図４に示すコネクタ用アダプタの係止部が厚みが薄い回路基板の被係止部（貫通孔）に係止される態様を説明するための図である。
【図７】（Ａ）及び（Ｂ）は、図４に示すコネクタ用アダプタの係止部が厚みが厚い回路基板の被係止部（貫通孔）に係止される態様を説明するための図である。
【図８】本発明の他の実施の形態の電気部品の取付構造に用いるコネクタ用アダプタを構成する分離アダプタを平面側から見た斜視図である。
【図９】図８に示すコネクタ用アダプタを底面側から見た斜視図である。
【図１０】本発明のさらに他の実施の形態の電気部品の取付構造に用いるコネクタ用アダプタを含む第２のコネクタを平面側から見た斜視図である。
【図１１】図１０に示すコネクタ用アダプタを含む第２のコネクタを裏面側から見た斜視図である。
【図１２】図４及び図５に示すコネクタ用アダプタの正面図である。
【図１３】図４及び図５に示すコネクタ用アダプタの背面図である。
【図１４】図４及び図５に示すコネクタ用アダプタの右側面図である。
【図１５】図４及び図５に示すコネクタ用アダプタの左側面図である。
【図１６】図４及び図５に示すコネクタ用アダプタの平面図である。
【図１７】図４及び図５に示すコネクタ用アダプタの底面図である。
【図１８】図４及び図５に示すコネクタ用アダプタを平面側から見た斜視図である。
【図１９】図４及び図５に示すコネクタ用アダプタを底面側から見た斜視図である。
【図２０】図１６のＡ−Ａ線断面図である。
【発明を実施するための形態】
【００１９】
以下、図面を参照して本発明の実施の形態の一例を詳細に説明する。図１及び図２は、本発明の実施の形態の電気部品の取付構造を分解状態で示す斜視図及び側面図である。本実施の形態の電気部品の取付構造は、回路基板１と、電気部品３に含まれる第１のコネクタ９と、第２のコネクタ５と、コネクタ用アダプタ７とを備えている。回路基板１は、電気部品等が実装される部品実装面を構成する一方の面１ａと、一方の面１ａと厚み方向に対向する他方の面１ｂとを有している。一方の面１ａ上及び他方の面１ｂには、図示しない回路パターンが形成されている。一方の面１ａ上には、６つの基板側回路端子４と第２のコネクタ５とが取り付けられている。また、回路基板１の第２のコネクタ５の周囲には、２つの延長用貫通孔１ｃと４つの貫通孔１ｄと２つの位置決めピン嵌合孔１ｅを含む複数の部品取付用の貫通孔が形成されている。なお、図示していないが、回路基板１の一方の面１ａ上には、他の電気部品を配置することができるのは勿論である。
【００２０】
電気部品３は、半導体パワーモジュールであり、図３に示すように、電気部品本体８に第１のコネクタ９が取り付けられた構造を有している。なお、図３は電気部品３を底面側から見た斜視図である。電気部品本体８は、回路基板１上の６つの基板側回路端子４にそれぞれ接続される６つのモジュール側回路端子８ａを有している。これらの回路端子４と８ａは、接触により相互に電気的に接続される。本実施の形態では、第１のコネクタ９と第２のコネクタ５とにより、コネクタ装置が構成されている。
【００２１】
第１のコネクタ９は、細長いほぼ直方体形状の第１のハウジング１１と複数の第１の接触端子（雄型接触端子）１３と２つのガイドピン１５とを有している。複数の第１の接触端子１３の一端は、直線状に並ぶように第１のハウジング１１から突出している。複数の接触端子１３の他端は電気部品本体内の半導体部品等と電気的に接続されている。２つのガイドピン１５は、複数の第１の接触端子１３が並んで形成される端子列の両端に１つずつ配置されている。なお、第１のコネクタとして、回路基板上に実装される市販の既製品を電気部品に取り付けて用いてもよく、第２のコネクタとして第１のコネクタと対になって市販されている既製品を用いてもよい。
【００２２】
図１に示すように、第２のコネクタ５は、細長いほぼ直方体形状の第２のハウジング１７と複数の第２の接触端子（雌型接触端子）１９とを有している。複数の第２の接触端子１９は、一端に位置する接触部が第２のハウジング１７内に配置されており、図２に示すように、他端に位置する取付端子部２１が回路基板１に形成された複数の貫通孔を貫通して、回路基板１の他方の面１ｂ上に形成された回路パターンに含まれる複数の半田付けランドに半田付け接続されている。
【００２３】
図４及び図５の斜視図に示すように、コネクタ用アダプタ７は、合成樹脂からなり、アダプタ本体２３と４つの係止部２５Ａ〜２５Ｄとを一体に有している。アダプタ本体２３は、平面から見た輪郭が矩形状を呈している。アダプタ本体２３には、２つのガイドピン嵌合孔２３ａとハウジング嵌合孔２３ｂとが内部を貫通するように形成されている。２つのガイドピン嵌合孔２３ａは、アダプタ本体２３の対向する一対の端部にそれぞれ形成されており、第１のコネクタ９の２つのガイドピン１５がそれぞれ嵌合される。ハウジング嵌合孔２３ｂは、２つのガイドピン嵌合孔２３ａの間に位置しており、内部には第２のコネクタ５の第２のハウジング１７が嵌合される。更に、図５に示すように、アダプタ本体２３の対向する一対の端部には、コネクタ用アダプタ７の回路基板１に対する位置決めを図る位置決めピン２３ｃがそれぞれ設けられている。２本の位置決めピン２３ｃは、回路基板１の２つの位置決めピン嵌合孔１ｅにそれぞれ嵌合される（図１）。
【００２４】
図５に詳細に示すように、４つの係止部２５Ａ〜２５Ｄは、それぞれ回路基板１の貫通孔１ｄを貫通する延伸部２５ｅと、貫通孔１ｄから突出して回路基板１の他方の面１ｂに弾発的に係止されるフック部２５ｆとを備えている。これら４つの係止部２５Ａ〜２５Ｄは、一対の第１の係止部２５Ａ，２５Ｃと一対の第２の係止部２５Ｂ，２５Ｄとを含んでいる。一対の第１の係止部２５Ａ，２５Ｃと一対の第２の係止部２５Ｂ，２５Ｄの位置は、一対の第１の係止部２５Ａ，２５Ｃを通る第１の仮想線ＶＬ１と一対の第２の係止部２５Ｂ，２５Ｄを通る第２の仮想線ＶＬ２が交差するように定められている。一対の第１の係止部２５Ａ，２５Ｃの延伸部２５ｅの長さＬ１と一対の第２の係止部２５Ｂ，２５Ｄの延伸部２５ｅとは長さＬ２は、厚みが異なる２種類の回路基板に係止部（２５Ａ〜２５Ｄ）を係止できるように異なっている。本例では、一対の第１の係止部２５Ａ，２５Ｃの延伸部２５ｅの長さＬ１は、一対の第２の係止部２５Ｂ，２５Ｄの延伸部２５ｅとは長さＬ２より短くなっている。このため、図６（Ａ）及び（Ｂ）に示すように、厚みが薄い回路基板ＣＳ１にコネクタ用アダプタ７を取り付ける場合は、一対の第１の係止部２５Ａ，２５Ｃのフック部２５ｆが回路基板ＣＳ１の他方の面に係止され[図６（Ａ）］、一対の第２の係止部２５Ｂ，２５Ｄのフック部２５ｆは、回路基板ＣＳ１の他方の面から少し離れて位置する[図６（Ｂ）］。なお、この場合、一対の第２の係止部２５Ｂ，２５Ｄが挿入される貫通孔は、フック部２５ｆが係止される通常の位置と異なる位置に形成するか、通常より大きく形成すればよい。また、図７（Ａ）及び（Ｂ）の示すように、厚みが厚い回路基板ＣＳ２にコネクタ用アダプタ７を取り付ける場合は、一対の第１の係止部２５Ａ，２５Ｃのフック部２５ｆは、貫通孔内に位置し[図７（Ａ）］、一対の第２の係止部２５Ｂ，２５Ｄのフック部２５ｆは、回路基板ＣＳ２の他方の面に係止される[図７（Ｂ）］。なお、この場合、一対の第１の係止部２５Ａ，２５Ｃが挿入される貫通孔は、フック部２５ｆが係止される通常の位置と異なる位置に形成するか、通常より大きく形成すればよい。
【００２５】
次に電気部品３を回路基板１に実装する態様について説明する。まず、図１に示すように、一方の面１ａ上に第２のコネクタ５が取り付けられている回路基板１を用意する。次に、コネクタ用アダプタ７を回路基板１の一方の面１ａ上に配置する。具体的には、コネクタ用アダプタ７の４つの係止部２５Ａ〜２５Ｄを回路基板１の４つの貫通孔１ｄにそれぞれ挿入し、コネクタ用アダプタ７の２つの位置決めピン２３ｃ（図５）を回路基板１の２つの位置決めピン嵌合孔１ｅにそれぞれ嵌合させると共に、コネクタ用アダプタ７のハウジング嵌合孔２３ｂ内に第２のコネクタ５の第２のハウジング１７を嵌合させる。
【００２６】
次に、電気部品３に取り付けられた第１のコネクタ９を第２のコネクタ５に接続して、電気部品３を回路基板１上に実装する。具体的には、第１のコネクタ９の２つのガイドピン１５をコネクタ用アダプタ７の２つのガイドピン嵌合孔２３ａにそれぞれ挿入する。そして、２つのガイドピン１５のガイドにより、電気部品３の複数の第１の接触端子１３を第２のコネクタ５の複数の第２の接触端子１９に接触させる。続いて、２つのガイドピン１５を２つのガイドピン嵌合孔２３ａを通過させて、回路基板１の２つの延長用貫通孔１ｃ内に挿入させることにより、複数の第１の接触端子１３を複数の第２の接触端子１９にそれぞれ嵌合接続させて、電気部品３の回路基板１への実装が完了する。以上のように、コネクタ用アダプタ７は、２本のガイドピン１５がガイドピン嵌合孔２３ａに挿入された状態で、複数の第１の接触端子１３が複数の第２の接触端子１９に接触する位置関係を第１のコネクタ９と第２のコネクタ５との間に形成するように、回路基板１の一方の面１ａ上に配置されている。
【００２７】
本実施の形態の電気部品の取付構造によれば、複数の第１の接触端子１３が複数の第２の接触端子１９に接触する際に、ガイドピン１５がガイドピン嵌合孔２３ａに挿入される。そのため、複数の第１の接触端子１３が第２の接触端子１９に対して適正に嵌合接続され、第１及び第２の接触端子１３，１９が損傷するのを防ぐことができる。
【００２８】
図８及び図９は、本発明の他の実施の形態の電気部品の取付構造に用いるコネクタ用アダプタを構成する分離アダプタ１０７を平面側から見た斜視図と底面側から見た斜視図である。本実施の形態では、コネクタ用アダプタは、同じ形状及び寸法を有する２つの分離アダプタ１０７から構成されている。１つの分離アダプタ１０７は、合成樹脂からなり、分離アダプタ本体１２３と、該分離アダプタ本体１２３と一体に設けられて回路基板に設けた被係止部（貫通孔）に係止される２つの係止部１２５Ａ，１２５Ｂとを備えている。なお、本例の分離アダプタ１０７を用いる場合は、２つの係止部１２５Ａ，１２５Ｂは、１つの被係止部（貫通孔）に挿入される。分離アダプタ本体１２３には、ガイドピン嵌合孔１２３ａが内部を貫通するように形成されている。また、分離アダプタ本体１２３の側部には、平面１２３ｂと湾曲面１２３ｃとが形成されている。２つの分離アダプタ１０７は、一方の分離アダプタ１０７の平面１２３ｂが第２のコネクタの長手方向の一方の端部と対向し、他方の分離アダプタ１０７の平面１２３ｂが第２のコネクタの長手方向の他方の端部と対向するように配置される。このように２つの分離アダプタ１０７は、第２のハウジングの対向する一対の端部に隣接して配置されることになる。２つの係止部１２５Ａ，１２５Ｂは、ガイドピン嵌合孔１２３ａの周囲を囲み且つ回路基板の１つの貫通孔に嵌合される延伸部１２５ｅと、回路基板の貫通孔から突出して回路基板の他方の面に係止されるフック部１２５ｆとをそれぞれ備えている。フック部１２５ｆには、円弧状に延びる大小２つのステップ１２５ｇ，１２５ｈが形成されている。また、フック部１２５ｆの分離アダプタ本体１２３から離れた端部は、先端部から分離アダプタ本体１２３側に向かって広がる湾曲面１２５ｉを有している。分離アダプタ１０７は、２つの係止部１２５Ａ，１２５Ｂを相互に近づくように撓ませて、回路基板の貫通孔に２つの係止部１２５Ａ，１２５Ｂを挿入してステップ（１２５ｇ，１２５ｈ）を貫通孔に弾発的に嵌合させる。２つのステップ１２５ｇ，１２５ｈは、厚みが異なる２種類の回路基板にそれぞれ設けられた貫通孔に嵌合されて、他方の面に係止可能な形状を有している。厚みが厚い回路基板を用いた場合は、回路基板に径寸法の大きな貫通孔を形成し、大きなステップ１２５ｇを貫通孔に嵌合させて回路基板の他方の面に係止する。厚みが薄い回路基板を用いた場合は、回路基板に径寸法の小さな貫通孔を形成する。そして、２つの係止部１２５Ａ，１２５Ｂが相互に近づくように大きく撓ませて、２つの係止部１２５Ａ，１２５Ｂを回路基板の貫通孔内に挿入し、小さなステップ１２５ｈを貫通孔に嵌合させて回路基板の他方の面に係止する。
【００２９】
本実施の形態の電気部品の取付構造によれば、２つの分離アダプタ１０７を形状及び寸法が異なる種々のタイプの第１及び第２のコネクタに対して使用することができる。また、２つの分離アダプタ１０７を用いることにより、コネクタ用アダプタの占有領域をより小さくできる。
【００３０】
図１０及び図１１は、本発明のさらに他の実施の形態の電気部品の取付構造に用いるコネクタ用アダプタを一体に有する第２のコネクタ２０５を平面側から見た斜視図と裏面側から見た斜視図である。本実施の形態では、コネクタ用アダプタは、第２のコネクタ２０５と一体に設けられた２つの分離アダプタ２０７から構成されている。図１０に示すように、第２のコネクタ２０５は、細長いほぼ直方体形状の第２のハウジング２１７と複数の第２の接触端子２１９とを有している。複数の第２の接触端子２１９は、一端に位置する接触部が第２のハウジング２１７内に配置されており、図１１に示すように、他端に取付端子部２２１を有している。２つの分離アダプタ２０７は、第２のハウジング２１７の対向する一対の端部２０５ａに一体に設けられている。２つの分離アダプタ２０７には、ガイドピン嵌合孔２２３ａが形成されている。
【００３１】
本実施の形態の電気部品の取付構造によれば、コネクタ用アダプタ（２つの分離アダプタ２０７）と第２のコネクタ２０５とが一体化しているため、電気部品の取付構造の部品点数を少なくできる。
【産業上の利用可能性】
【００３２】
本発明によれば、１以上のガイドピンによりガイドされた状態で、複数の第１の接触端子が第２のコネクタの複数の第２の接触端子に嵌合接続される。そのため、簡単な接続作業により、複数の第１の接触端子を第２の接触端子に対して適正に嵌合接続することができる。
【符号の説明】
【００３３】
１  回路基板
１ｃ  延長用貫通孔
１ｄ  貫通孔
３  電気部品
５  第２のコネクタ
７  コネクタ用アダプタ
９  第１のコネクタ
１１  第１のハウジング
１３  第１の接触端子
１５  ガイドピン
１７  第２のハウジング
１９  第２の接触端子
２３  アダプタ本体
２３ａ  ガイドピン嵌合孔
２５Ａ〜２５Ｄ  係止部
２５ｅ  延伸部
２５ｆ  フック部
【図１】
2011253621.tif 000003
【図２】
2011253621.tif 000004
【図３】
2011253621.tif 000005
【図４】
2011253621.tif 000006
【図５】
2011253621.tif 000007
【図６】
2011253621.tif 000008
【図７】
2011253621.tif 000009
【図８】
2011253621.tif 000010
【図９】
2011253621.tif 000011
【図１０】
2011253621.tif 000012
【図１１】
2011253621.tif 000013
【図１２】
2011253621.tif 000014
【図１３】
2011253621.tif 000015
【図１４】
2011253621.tif 000016
【図１５】
2011253621.tif 000017
【図１６】
2011253621.tif 000018
【図１７】
2011253621.tif 000019
【図１８】
2011253621.tif 000020
【図１９】
2011253621.tif 000021
【図２０】
2011253621.tif 000022
【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
第１のハウジングに複数の第１の接触端子を備えた第１のコネクタと、第２のハウジングに前記複数の第１の接触端子とそれぞれ嵌合接続される複数の第２の接触端子を備えた第２のコネクタとを備え、前記第１のハウジングに１以上のガイドピンが設けられているコネクタ装置を用いて電気部品を回路基板の一方の面上に実装する電気部品の取付構造であって、
前記第２のコネクタの前記第２のハウジングが前記回路基板の前記一方の面上に配置され、
前記１以上のガイドピンが嵌合される１以上のガイドピン嵌合孔を備えたコネクタ用アダプタが、前記１以上のガイドピンが前記１以上のガイドピン嵌合孔に挿入された状態で、前記複数の第１の接触端子と前記複数の第２の接触端子とが接触する位置関係を前記第１のコネクタと前記第２のコネクタとの間に形成するように、前記回路基板の前記一方の面上に配置されており、
前記コネクタ用アダプタは、前記第２のハウジングが嵌合するハウジング嵌合孔を有するアダプタ本体と、前記アダプタ本体と一体に設けられて前記回路基板に設けた複数の被係止部に係止される複数の係止部とを備えていることを特徴とする電気部品の取付構造。
【請求項２】
前記１以上のガイドピンは２本あり、
前記アダプタ本体の対向する一対の端部に２つの前記ガイドピン嵌合孔がそれぞれ形成されていることを特徴とする請求項１に記載の電気部品の取付構造。
【請求項３】
前記１以上のガイドピン嵌合孔は貫通孔であり、
前記回路基板に前記ガイドピン嵌合孔と連通する１以上の延長用貫通孔が形成されている請求項１に記載の電気部品の取付構造。
【請求項４】
前記複数の被係止部は、前記回路基板に形成された複数の貫通孔からなり、
前記複数の係止部は、それぞれ前記貫通孔を貫通する延伸部と、前記貫通孔から突出して前記回路基板の他方の面に係止されるフック部とを備えている請求項１に記載の電気部品の取付構造。
【請求項５】
前記アダプタ本体及び前記回路基板の一方に前記コネクタ用アダプタの前記回路基板に対する位置決めを図る位置決めピンが設けられており、
前記アダプタ本体及び前記回路基板の他方に前記位置決めピンが嵌合される位置決めピン嵌合孔が設けられていることを特徴とする請求項１に記載の電子部品の取付構造。
【請求項６】
第１のハウジングに複数の第１の接触端子を備えた第１のコネクタと、回路基板の一方の面に配置される第２のハウジングに前記複数の第１の接触端子とそれぞれ嵌合接続される複数の第２の接触端子を備えた第２のコネクタとを備え、前記第１のハウジングに１以上のガイドピンが設けられているコネクタ装置を用いて電気部品を前記回路基板の一方の面上に実装するためのコネクタ用アダプタであって、
前記コネクタ用アダプタは、前記第２のハウジングが嵌合するハウジング嵌合孔を有するアダプタ本体と、前記アダプタ本体に設けられて前記１以上のガイドピンが嵌合される１以上のガイドピン嵌合孔と、前記アダプタ本体と一体に設けられて前記回路基板に設けた複数の被係止部に係止される複数の係止部とを備えていることを特徴とするコネクタ用アダプタ。
【請求項７】
前記１以上のガイドピンは２本あり、
前記アダプタ本体の対向する一対の端部に前記ガイドピン嵌合孔がそれぞれ形成されている請求項６に記載のコネクタ用アダプタ。
【請求項８】
前記複数の被係止部は、前記回路基板に形成された複数の貫通孔からなり、
前記複数の係止部は、それぞれ前記貫通孔を貫通する延伸部と、前記貫通孔から突出して前記回路基板の他方の面に係止されるフック部とを備えている請求項６に記載のコネクタ用アダプタ。
【請求項９】
前記アダプタ本体は、平面から見た輪郭が矩形状を呈しており、
前記複数の係止部は、一対の第１の係止部と一対の第２の係止部とを含んでおり、
前記一対の第１の係止部の前記延伸部と前記一対の第２の係止部の前記延伸部とは長さが異なり、
前記一対の第１の係止部を通る第１の仮想線と前記一対の第２の係止部を通る第２の仮想線が交差するように、前記一対の第１の係止部と前記一対の第２の係止部の位置が定められている請求項８に記載のコネクタ用アダプタ。
【請求項１０】
前記アダプタ本体には、前記コネクタ用アダプタの前記回路基板に対する位置決めを図る位置決めピンまたは位置決めピン嵌合孔が設けられていることを特徴とする請求項６〜９のいずれか１つに記載のコネクタ用アダプタ。